(57)【要約】【課題】操作性のよいラベルプリンタを提供しようとするものである。【解決手段】品番に対応してラベル印字情報手段３１とラベル発行情報履歴管理手段３２とを有する商品ファイル１４と、キーボード１８で品番を入力すると、ラベル印字情報記憶手段３１からラベル印字情報を呼出してプリンタ２０によりラベルを印字発行するラベルプリンタにおいて、履歴キー１８ｅを操作するとラベル発行情報履歴をタッチパネル１６に表示する。タッチパネル１６のラベル発行情報履歴からラベル発行情報を指定する。ラベル印字情報記憶手段３１からラベル印字情報を呼出されプリンタ２０によりラベルを印字発行する。【選択図】      図８
2011183571.tif 000002
【特許請求の範囲】
【請求項１】
ラベル印字発行手段と、各商品の商品コードに対応してラベル印字情報を記憶するラベル印字情報記憶手段とラベル発行情報履歴を管理するラベル発行情報履歴管理手段とを有する商品ファイルと、前記商品コードを入力する商品コード入力手段と、この商品コード入力手段を介して入力された当該商品コードにより前記ラベル印字情報記憶手段から特定されるラベル印字情報を呼出し、この呼出したラベル印字情報に基づいて前記ラベル印字発行手段によりラベルを印字発行するラベルプリンタにおいて、
前記ラベル発行情報履歴管理手段により管理された前記ラベル発行情報履歴を表示部へ表示するラベル発行情報履歴表示手段と、
このラベル発行情報履歴表示手段により表示された前記ラベル発行情報履歴を指定するラベル発行情報指定手段と、
このラベル発行情報指定手段により指定されたラベル発行情報に基づいて前記ラベル印字情報記憶手段に記憶されているラベル印字情報を呼出すラベル印字情報呼出手段と、
を備えたことを特徴とするラベルプリンタ。
【請求項２】
ラベル印字発行手段と、各商品の商品コードに対応してラベル印字情報を記憶するラベル印字情報記憶手段とラベル発行情報履歴を管理するラベル発行情報履歴管理手段とを有する商品ファイルと、前記商品コードを入力する商品コード入力手段と、この商品コード入力手段を介して入力された当該商品コードにより前記ラベル印字情報記憶手段から特定されるラベル印字情報を呼出し、この呼出したラベル印字情報に基づいて前記ラベル印字発行手段によりラベルを印字発行するラベルプリンタにおいて、
現在時刻を計時する計時手段と、
前記ラベル印字発行手段により印字発行されたラベルの発行時刻情報を前記計時手段により計時して前記ラベル発行情報履歴管理手段に格納するラベル発行時刻情報履歴格納手段と、
前記ラベル発行情報履歴管理手段により管理される前記ラベル発行時刻履歴を表示部へ表示するラベル発行時刻情報履歴表示手段と、
このラベル発行情報履歴表示手段により表示された前記ラベル発行情報履歴に基づいて前記ラベル印字情報記憶手段に記憶されている当該ラベル印字情報を呼出すラベル印字情報呼出手段と、
を備えたことを特徴とするラベルプリンタ。
【請求項３】
ラベル印字発行手段と、各商品の商品コードに対応してラベル印字情報を記憶するラベル印字情報記憶手段とラベル発行情報履歴を管理するラベル発行情報履歴管理手段とを有する商品ファイルと、前記商品コードを入力する商品コード入力手段と、この商品コード入力手段を介して入力された当該商品コードにより前記ラベル印字情報記憶手段から特定されるラベル印字情報を呼出し、この呼出したラベル印字情報に基づいて前記ラベル印字発行手段によりラベルを印字発行するラベルプリンタにおいて、
ラベル発行情報履歴を計数する計数手段と、
この計数手段により計数されたラベル発行情報履歴の計数値を前記ラベル発行情報履歴管理手段に格納するラベル発行情報計数履歴格納手段と、
前記ラベル発行情報履歴管理手段で管理される前記ラベル発行情報計数履歴を表示部へ表示するラベル発行情報計数履歴表示手段と、
このラベル発行情報計数履歴表示手段により表示された前記ラベル発行情報履歴に基づいて前記ラベル印字情報記憶手段に記憶されている当該ラベル印字情報を呼出すラベル印字情報呼出手段と、
を備えたことを特徴とするラベルプリンタ。
【請求項４】
前記ラベル発行情報履歴管理手段で管理される前記ラベル発行情報計数履歴は、前記ラベル発行時刻とラベル発行情報計数値とを含むことを特徴とする請求項１〜３のいずれかに記載のラベルプリンタ。
【請求項５】
前記ラベル発行情報履歴管理手段に格納されている前記ラベル発行時刻と、前記ラベル印字情報記憶手段に記憶されている商品コードとを、前記表示部に表示させるラベル発行情報表示手段、
をさらに備えたことを特徴とする請求項１〜３のいずれかに記載のラベルプリンタ。
【請求項６】
前記ラベル発行情報履歴管理手段に格納されているラベル発行時刻と、前記ラベル印字情報記憶手段に格納されている品名とを、前記表示部に表示させるラベル発行情報表示手段、
をさらに備えたことを特徴とする請求項１〜３のいずれかに記載のラベルプリンタ。
【請求項７】
ラベル印字発行手段と、各商品の商品コードに対応してラベル印字情報を記憶するラベル印字情報記憶手段とラベル印字情報呼出履歴を管理するラベル印字情報呼出履歴管理手段とを有する商品ファイルと、前記商品コードを入力する商品コード入力手段と、この商品コード入力手段を介して入力された当該商品コードにより前記ラベル印字情報記憶手段から特定されるラベル印字情報を呼出すラベル印字情報呼出手段と、このラベル印字情報呼出手段により呼出されたラベル印字情報に基づいて前記ラベル印字発行手段によりラベルを印字発行するラベルプリンタにおいて、
前記ラベル印字情報呼出履歴管理手段により管理される前記ラベル印字情報呼出履歴を表示部へ表示するラベル印字情報呼出履歴表示手段と、
このラベル印字情報呼出履歴表示手段により表示された前記ラベル印字情報呼出履歴からラベル印字情報を指定するラベル印字情報指定手段と、
このラベル印字情報指定手段により指定された前記ラベル印字情報に基づいて前記ラベル印字情報記憶手段に記憶されている当該ラベル印字情報を呼出すラベル印字情報呼出手段と、
を備えたことを特徴とするラベルプリンタ。
【請求項８】
ラベル印字発行手段と、各商品の商品コードに対応してラベル印字情報を記憶するラベル印字情報記憶手段とラベル印字情報呼出履歴を管理するラベル印字情報呼出履歴管理手段とを有する商品ファイルと、前記商品コードを入力する商品コード入力手段と、この商品コード入力手段を介して入力された当該商品コードにより前記ラベル印字情報記憶手段から特定されるラベル印字情報を呼出すラベル印字情報呼出手段と、このラベル印字情報呼出手段により呼出されたラベル印字情報に基づいて前記ラベル印字発行手段によりラベルを印字発行するラベルプリンタにおいて、
現在時刻を計時する計時手段と、
前記ラベル印字情報呼出手段により呼出されたラベル印字情報の呼出時刻情報を前記計時手段により計時して前記ラベル印字情報呼出履歴管理手段に格納する呼出時刻情報履歴格納手段と、
前記呼出時刻情報履歴管理手段により管理される前記呼出時刻情報履歴を表示部へ表示する呼出時刻情報履歴表示手段と、
この呼出時刻情報履歴表示手段により表示された前記呼出時刻情報履歴から呼出時刻情報を指定する呼出時刻情報指定手段と、
この呼出時刻情報指定手段により指定された前記呼出時刻情報に基づいて前記ラベル印字情報記憶手段に記憶されている当該ラベル印字情報を呼出す前記ラベル印字情報呼出手段と、
を備えたことを特徴とするラベルプリンタ。
【発明の詳細な説明】
【技術分野】
【０００１】
この発明は、ＰＬＵ（Price Look Memory）ファイルを備え、このＰＬＵファイルから呼出されたラベル印字情報に基づいてラベルを印字発行するラベルプリンタに関する。
【背景技術】
【０００２】
一般にラベルプリンタでは、各商品に品番（商品コード）、品名、単価、有効期間等のラベル印字情報を記憶したＰＬＵファイルを備えたものが知られている。
【０００３】
ラベルにラベル印字情報を印字し発行するには、オペレータがキーボードから品番を入力するとＰＬＵファイルから該当商品のラベル印字情報を呼出し、このラベル印字情報に基づいてラベル印字発行するようになっている。このラベル印字情報は、ラベルを再発行のためにＰＬＵファイルから再びラベル印字情報を呼出すことがある。
【０００４】
そして、同じ商品のラベル印字情報を再び呼出す理由は、１つの商品に対して予め所定枚数のラベルを発行して商品上にラベルに貼るときに、商品へのラベルの貼り付けミスやラベル枚数の設定ミス等により再びラベルを発行する必要があるためである。
【０００５】
また、たとえば、ラベルを貼り付けていない商品が残っていることに気付いたとすると、オペレータは、残っている商品のラベルを印字するために、呼出キーを用いて以前呼出したことのあるラベル印字情報を再び呼出すことができるラベルプリンタが知られている（たとえば、特許文献１参照）。
【発明の概要】
【発明が解決しようとする課題】
【０００６】
従来のラベルプリンタは、以前呼出したラベル印字情報を再び品番入力してラベルを再発行することが可能である。
【０００７】
または、呼出キーを操作することでラベルの再発行することが可能である。
【０００８】
しかしながら、以前のラベルを再発行する場合には、複数回の呼出キーの操作をするために操作性が問題になる場合あがる。
【０００９】
また、多数個の呼出キーを形成するために装置が大型になる場合がある。
【００１０】
また、商品ファイルエリアを用いるためにメモリ容量が大きくなる。
【００１１】
この発明は、ラベルを再び印字発行する必要が生じた場合に操作性のよいラベルプリンタを提供しようとするものである。
【課題を解決するための手段】
【００１２】
この発明は、ラベル印字発行手段と、各商品の商品コードに対応してラベル印字情報を記憶するラベル印字情報記憶手段とラベル発行情報履歴を管理するラベル発行情報履歴管理手段とを有する商品ファイルと、前記商品コードを入力する商品コード入力手段と、この商品コード入力手段を介して入力された当該商品コードにより前記ラベル印字情報記憶手段から特定されるラベル印字情報を呼出し、この呼出したラベル印字情報に基づいて前記ラベル印字発行手段によりラベルを印字発行するラベルプリンタにおいて、前記ラベル発行情報履歴管理手段により管理された前記ラベル発行情報履歴を表示部へ表示するラベル発行情報履歴表示手段と、このラベル発行情報履歴表示手段により表示された前記ラベル発行情報履歴からラベル発行情報を指定するラベル発行情報指定手段と、このラベル発行情報指定手段により指定された前記ラベル発行情報に基づいて前記ラベル印字情報記憶手段に記憶されているラベル印字情報を呼出すラベル印字情報呼出手段と、を備えたことを特徴とするラベルプリンタ。
【００１３】
また、この発明は、ラベル印字発行手段と、各商品の商品コードに対応してラベル印字情報を記憶するラベル印字情報記憶手段とラベル印字情報呼出履歴を管理するラベル印字情報呼出履歴管理手段とを有する商品ファイルと、前記商品コードを入力する商品コード入力手段と、この商品コード入力手段を介して入力された当該商品コードにより前記ラベル印字情報記憶手段から特定されるラベル印字情報を呼出すラベル印字情報呼出手段と、このラベル印字情報呼出手段により呼出されたラベル印字情報に基づいて前記ラベル印字発行手段によりラベルを印字発行するラベルプリンタにおいて、現在時刻を計時する計時手段と、前記ラベル印字情報呼出手段により呼出されたラベル印字情報の呼出時刻情報を前記計時手段により計時して前記ラベル印字情報呼出履歴管理手段に格納する呼出時刻情報履歴格納手段と、前記呼出時刻情報履歴管理手段により管理される前記呼出時刻履歴を表示部へ表示する呼出時刻情報履歴表示手段と、この呼出時刻情報履歴表示手段により表示された前記呼出時刻情報履歴から呼出時刻情報を指定する呼出時刻情報指定手段と、この呼出時刻情報指定手段により指定された前記呼出時刻情報で前記ラベル印字情報記憶手段に記憶されている当該ラベル印字情報を呼出す前記ラベル印字情報呼出手段と、
を備えたことを特徴とするラベルプリンタ。
【発明の効果】
【００１４】
この発明によれば、オペレータの操作負担を軽減することができるラベルプリンタを提供することが可能になる。
【００１５】
また、メモリ容量を効率よく使用可能になる。
【図面の簡単な説明】
【００１６】
【図１】この発明の実施例１に係るラベルプリンタのハードウェア構成の要部を示すブロック図。
【図２】同実施例１に係るキーボードに設けられるキーレイアウトを示す平面図。
【図３】同実施例１におけるＰＬＵファイルの主要なデータ構造例を示す模式図。
【図４】同実施例１に係るタッチパネルに表示されるラベル発行情報画面の一例を示す模式図。
【図５】同実施例１に係るタッチパネルに表示されるラベル発行情報画面の一例を示す模式図（変形例１）。
【図６】同実施例１に係るタッチパネルに表示されるラベル発行情報画面の一例を示す模式図（変形例２）。
【図７】同実施例１に係るタッチパネルに表示されるラベル発行情報画面の一例を示す模式図（変形例３）。
【図８】同実施例１に係るラベルプリンタのＣＰＵが実行するラベル印字発行処理の主要なステップを示すフローチャート。
【図９】この発明の実施例２に係るＰＬＵファイルの主要なデータ構造例を示す模式図。
【図１０】同実施例２に係るラベルプリンタのＣＰＵが実行するラベル印字発行処理の主要なステップを示すフローチャート。
【発明を実施するための形態】
【００１７】
（実施例１）
以下、この発明の実施例１について図面を参照して説明する。
【００１８】
図１は、実施例１に係るラベルプリンタのハードウェア構成の要部を示すブロック図である。
【００１９】
このラベルプリンには、制御部本体として各部を制御するＣＰＵ（Central Processing Unit）１１を搭載している。このＣＰＵ１１が処理を行うプログラムデータ等が記憶されたＲＯＭ（Read Only Memory）１２、前記ＣＰＵ１１がラベル印字発行処理等を行なう時に使用する印字データバッファ等の各種メモリのワークエリアが形成されたＲＡＭ（Random Access Memory）１３、ＰＬＵファイル１４、現日付および時刻を計時して時刻データを前記ＣＰＵ１１へ供給する計時手段としての時計部１５、タッチパネル１６の画面タッチ位置に対応した信号が入力されるのを制御するとともに、タッチパネル１６の画面のデータ表示を制御するタッチパネルコントローラ１７、商品コードである品番、ラベル発行枚数等を入力するためのテンキーやラベルの発行を指令する各種キーが設けられたキーボード１８からの出力信号を入力するキーボードコントローラ１８、ラベル印字発行するラベル印字発行手段として機能するプリンタ２０をコントロールするプリンタコントローラ２１、通信回線を介して上位機器とのデータ通信処理を行う通信コントローラ２２を備えている。
【００２０】
そして、ＣＰＵ１１と、ＲＯＭ１２、ＲＡＭ１３、ＰＬＵファイル１４、時計部１５、タッチパネルコントローラ１７、キーコントローラ１９、プリンタコントローラ２１、通信コントローラ２２をアドレスバス、データバス等のバスライン２３で接続してラベルプリンタの制御回路を構成している。
【００２１】
キーボード１８には、図２に示すように、キーが設けられている。キーの種類としては、数値データを入力するための０〜９までのテンキー、数値データのクリアまたはエラーをクリアするための消キー１８a、品番を呼出す時に操作する品番キー18b、タッチパネル１６の画面上にメニューを呼出すメニューキー18c、ラベルを発行するときに操作する発行キー18d、すでに発行したラベルのラベル印字情報を呼出して前記タッチパネル１６の画面上に表示する履歴キー18e、ラベルを送るときに操作する紙送りキー18f、データを訂正するための訂正キー18g、ラベル発行枚数を設定するときに操作する枚数キー18hの各種キーが設けられている。
【００２２】
ＰＬＵファイル１４には、図３に示すように、各商品を識別するための商品コードである品番に対応して、その商品の品名、単価等のラベル印字情報を設定記憶したラベル印字情報記憶手段３１と、前記プリンタ２０によりラベル印字発行した品番に対応したラベルの発行時刻情報とラベル印字発行した品番に対応したラベル発行順序を管理する管理番号Ｎとを管理するラベル発行情報履歴管理手段３２と、管理番号Ｎをカウントする管理番号カウンタ３３のカウント値Ａ等の各種メモリエリアが形成されている。
【００２３】
ラベル発行の管理番号Ｎは“１”から始まる連続番号である。このラベル発行の管理番号Ｎは“１”が最も古いレコードとなる。
【００２４】
なお、ラベルが再発行された場合には、ＰＬＵファイル１４の発行時刻と管理番号Ｎは上書きされる。
【００２５】
前記キーボード１８の履歴キー１８eが入力されると、タッチパネル１６の画面上には、この実施例１においては図４に示すように、発行されたラベルの発行時刻が表示されるようになっている。
【００２６】
また、変形例１においては、図５に示すように、ラベル発行の管理番号Ｎとラベルの発行時刻が表示されるようになっている。
【００２７】
また、変形例２においては、図６に示すように、ラベル発行の管理番号Ｎと品名と発行時刻が表示されるようになっている。
【００２８】
また、変形例３においては、図７に示すように、ラベル発行の管理番号Ｎと品番と発行時刻が表示されるようになっている。
【００２９】
次に、この実施例１に係る構成のラベルプリンタの動作について説明する。
【００３０】
前記ＣＰＵ１１は、図８のフローチャートに示すラベル印字発行処理を実行するようにプログラム構成されている。
【００３１】
まず、ＣＰＵ１１は、ＳＴ（ステップ）１１としてラベル発行対象である商品の品番が入力されるのを待機している。
【００３２】
そして、当該商品のたとえば、品名［さんま］を対象としてラベルを印字発行する場合、キーボード１８のテンキーにより品番［０００１］を置数する。続いて、品番キー１８ｂが操作され（商品コード入力手段）、品番［０００１］が入力されると（ＳＴ１１−ＹＥＳ）、ＳＴ１２では、その品番に対応する商品のラベル印字情報をＰＬＵファイル１４のラベル印字情報記憶手段３１から当該品番［０００１］に対応した品名［さんま］、単価［１５０］等の各種データを呼出す（ラベル印字情報呼出手段）。そして、このラベル印字情報をタッチパネル１６の画面上に表示させる。
【００３３】
ＣＰＵ１１は、ＳＴ１３として当該商品のラベル印字情報のラベル印字データが作成されＲＡＭ１３の印字データバッファにラベル印字データを一時的に格納させる。
【００３４】
ＳＴ１４では、たとえば、品名［さんま］のラベル発行枚数をテンキーで［２０］枚数を入力する。続いて、枚数キー１８ｈを操作すると、ラベル発行枚数が［２０］枚数と設定される。次に、発行キー１８ｄが操作されると、ＣＰＵ１１は、プリンタコントローラ２１を制御しプリンタ２０を駆動して印字データバッファに格納されているラベル印字データに基づいてラベル印字発行を行うようになっている。
【００３５】
ＣＰＵ１１は、ＳＴ１５として時計部１５に計時されている現在時刻[１０：３０]の時刻データが呼出させる（現在時刻呼出手段）。
【００３６】
ＣＰＵ１１は、ＳＴ１６として呼出した前記現在時刻をＰＬＵファイル１４のラベル発行情報履歴管理手段３２にラベルの発行時刻[１０：３０]として格納させる（ラベル発行情報履歴格納手段）。
【００３７】
ＳＴ１７として番号カウンタ３３のカウント値Ａを“１”だけカウントアップの処理を行う。このラベル発行処理は、本日が初めてのラベル印字発行なので、番号カウンタ３３のカウント値Ａは“１”になる。そして、ラベル発行情報履歴管理手段３２の発行履歴の管理番号Ｎは“１”がセットされる。
【００３８】
ＳＴ１８として当該品番の商品のラベル印字発行が終了すると、ＲＡＭ１３の印字データバッファに格納されているラベル印字データをクリアする。
【００３９】
そして、今回の当該品番の品名[さんま]に対するラベルの印字発行業務を終了する。
【００４０】
また、新たに、次の当該品番の品名［白菜］のラベルを発行する場合には、ＳＴ１１で、キーボード１８のテンキーにより品番［００２０］を置数する。続いて、品番キー18ｂが操作されると、品番［００２０］が入力される（ＳＴ１１−ＹＥＳ）。
【００４１】
当該品番［００２０］に対応する商品のラベル印字情報をＰＬＵファイル１４のラベル印字情報記憶手段３１から品名[白菜]、単価[１００円]等の各種データを呼出す（ラベル印字情報呼出手段）。
【００４２】
そして、このラベル印字情報をタッチパネル１６の画面上に表示させる。
【００４３】
ＳＴ１３として当該商品のラベル印字情報のラベル印字データが作成され、ＲＡＭ１３の印字データバッファにラベル印字データを一時的に格納させる。
【００４４】
ＳＴ１４では、たとえば、品名［白菜］のラベル発行枚数をテンキーで［５０］枚数を入力する。続いて、枚数キー１８ｈを操作すると、ラベル発行枚数が［５０］枚数と設定される。次に、発行キー１８ｄが操作されるとＣＰＵ１１は、プリンタコントローラ２１を制御しプリンタ２０を駆動して印字データバッファに格納されているラベル印字データに基づいてラベル印字発行するようになっている（ラベル印字発行手段）。
【００４５】
ＣＰＵ１１は、ＳＴ１５として時計部１５に計時されている現在時刻［１３：００］の時刻データが呼出させる（現在時刻呼出手段）。
【００４６】
ＣＰＵ１１は、ＳＴ１６として呼出した前記現在時刻をＰＬＵファイル１４のラベル発行情報履歴管理手段３２にラベルの発行時刻[１３：００]として格納させる。
【００４７】
ＳＴ１７として番号カウンタ３３のカウント値Ａを“１”だけカウントアップの処理を行う。このラベル発行処理は、本日２回目なので、番号カウンタのカウント値Ａは“２”になる。そして、ラベル発行情報履歴管理手段３２の発行履歴の管理番号Ｎは“２”がセットされる。
【００４８】
ＳＴ１８として当該品番の品名[白菜]のラベル印字発行が終了すると、ＲＡＭ１３の印字データバッファに格納されているラベル印字データをクリアする。
【００４９】
そして、今回の当該品番の品名[白菜]に対するラベル印字発行業務を終了する。
【００５０】
また、新たに当該品番の品名［とうふ］のラベルを発行する場合には、ＳＴ１１で、キーボード１８のテンキーにより品番［００３１］を置数する。続いて、品番キー１８ｂが操作され品番［００３１］が入力されると（ＳＴ１１−ＹＥＳ）、その品番に対応した商品のラベル印字情報をＰＬＵファイル１４のラベル印字情報記憶手段３１から該当品番［００３１］に対応した品名（とうふ）、単価（６０円）等の各種データを呼出す（ラベル印字情報呼出手段）。そして、このラベル印字情報をタッチパネル１６の画面上に表示させる。
【００５１】
ＳＴ１３として当該商品のラベル印字情報のラベル印字データが作成されＲＡＭ１３の印字データバッファにラベル印字データを一時的に格納させる。
【００５２】
ＳＴ１４では、たとえば、品名［とうふ］のラベル発行枚数をテンキーで、［３０］枚数を入力する。続いて、枚数キー１８ｈを操作すると、ラベル発行枚数が［３０］枚数と設定される。次に、発行キー１８ｄが操作されるとＣＰＵ１１は、プリンタコントローラ２１を制御しプリンタ２０を駆動して印字データバッファに格納されているラベル印字データに基づいてラベル印字発行するようになっている。
【００５３】
ＣＰＵ１１は、ＳＴ１５として時計部１５に計時されている現在時刻[１６：３０]の時刻データが呼出させる（現在時刻呼出手段）。
【００５４】
ＣＰＵ１１は、ＳＴ１６として呼出した前記現在時刻をＰＬＵファイル１４のラベル発行情報履歴管理手段３２にラベルの発行時刻[１６：３０]として格納させる。
【００５５】
ＳＴ１７として番号カウンタ３３のカウント値Ａを“１”だけカウントアップの処理を行う。このラベル発行処理は、本日３回目のラベル印字発行なので、番号カウンタ３３のカウント値Ａは“３”になる。そして、ラベル発行情報履歴管理手段３２の発行履歴の管理番号Ｎは“３”がセットされる。
【００５６】
ＳＴ１８として当該品番の品名[とうふ]のラベル印字発行が終了すると、ＲＡＭ１３の印字データバッファに格納されているラベル印字データをクリアする。
【００５７】
そして、今回の当該品番の品名[とうふ]に対するラベル印字発行業務を終了する。
【００５８】
一方、ＳＴ１１として当該商品の品番入力が行なわれない場合には（ＳＴ１１−ＮＯ）、すなわち、既に発行した商品、たとえば、品名［白菜］のラベルの枚数が［５］枚数が足りないことがわかると、ＳＴ１９として既に発行したラベルを再発行するための履歴キー１８eが操作される。
【００５９】
履歴キー18eが操作されると、ＳＴ２０としてＣＰＵ１１は、図３に示すＰＬＵファイル１４に存在するラベル発行情報履歴管理手段３２から図４に示すように、ラベル発行情報として発行時刻を呼出させる。
【００６０】
ＣＰＵ１１は、ＳＴ２１として図４に示すようにタッチパネル１６の画面上にラベル発行情報を表示させる。なお、この実施例１においては、タッチパネル１６の画面上にラベルの発行時刻が３つ表示されているが、１つまたは多数のラベルの発行時刻が表示される場合があることはもちろんである。
【００６１】
ＣＰＵ１１は、ＳＴ２２としてたとえば、表示された発行時刻からラベル再発行する当該品名［白菜］の発行時刻［１３：００］を指定してタッチ入力する（ラベル印字発行指定手段）。すると、ＣＰＵ１１は、ＳＴ１１で品番［００２０］を入力しなくともＳＴ１２の当該品名［白菜］のラベル印字情報を呼出すようになっている。
【００６２】
そして、ＳＴ１２〜ＳＴ１８の処理の中においてＳＴ１４で、品名［白菜］のラベル発行枚数をテンキーで［５］枚数を入力する。
【００６３】
続いて、枚数キー１８ｈを操作すると、ラベル発行枚数が［５］枚数と設定される。
【００６４】
次に、発行キー１８ｄが操作されるとＣＰＵ１１は、プリンタコントローラ２１を制御しプリンタ２０を駆動して印字データバッファに格納されている当該品名［白菜］のラベル印字データに基づいて５枚のラベルが印字発行される。
【００６５】
前記ラベル再発行が実施されると、当該商品［白菜］の発行時刻を現在の時刻として例えば、［１８：００］に書き換える。また、管理番号Ｎは“４”に書き換えられるようになっている。
【００６６】
すなわち、ＳＴ１４の処理をオペレータが操作することにより当該品名［白菜］のラベル５枚のラベル印字発行を行うことが可能になる。これにより、オペレータのラベル再発行の操作性が向上する。
【００６７】
なお、履歴キー１８eを用いて先に発行したラベルを再発行する場合には、変形例1の図５に示すように、ラベル発行情報履歴管理手段３２の発行履歴情報の管理番号Ｎと発行時刻を表示するものであってもよい。
【００６８】
また、変形例２の図６に示すように、ラベル発行情報履歴管理手段３２の発行履歴情報の管理番号Ｎと発行時刻、ラベル印字情報記憶手段３１の品名を表示するものであってもよい。
【００６９】
また、変形例３の図７に示すように、ラベル発行情報履歴管理手段３２の発行履歴情報の管理番号Ｎと発行時刻、ラベル印字情報記憶手段３１の品番を表示するものであってもよい。
【００７０】
また、図示しないが、ラベル発行情報履歴管理手段３２の発行履歴情報発行時刻とラベル印字情報記憶手段３１品名を表示するものであってもよい。
【００７１】
また、図示しないがラベル発行情報履歴管理手段３２の発行履歴情報の発行時刻と品番を表示するものであってもよい。また、ラベル印字情報記憶手段３１とラベル発行情報履歴管理手段３２との各種の組み合わせでもよい。
【００７２】
（実施例２）
次に、実施例２に係るラベルプリンタについて説明する。
【００７３】
なお、前記実施例１と重複する部分については図面を兼用してその説明を省略する。
【００７４】
はじめに、実施例２においてラベルプリンタのハードウェア構成は、実施例１と同様であり、図１を用いてその説明を省略する。図２のキーボード１８は、実施例１と同様なのでその説明を省略する。
【００７５】
また、実施例１の図３のＰＬＵファイル１４は、実施例２では適用しない。
【００７６】
実施例２係るＰＬＵファイル４１は、図９に基づいて説明する。
【００７７】
ＰＬＵファイル４１は、図９に示すように、各商品を識別するための商品コードである品番に対応して、その商品の品名、単価等のラベル印字情報を設定したラベル印字情報記憶手段４２と、ＰＬＵファイル４１からラベル印字情報を呼出す呼出時刻とラベル印字情報の呼出順序を管理する管理番号Ｎとを有するラベル印字呼出情報履歴管理手段４３と、管理番号Ｎをカウントする管理番号カウンタ４４のカウント値Ａ等の各種メモリエリアが形成されている。
【００７８】
前記実施例１の図４から図７における図中のラベルの印字発行する発行時刻は、実施例２では、ラベル印字情報を呼出す呼出時刻として置きかえて説明する。
【００７９】
次に、この実施例２に係る構成のラベルプリンタの動作について説明する。
【００８０】
前記ＣＰＵ１１は、図１０のフローチャートに示すラベル印字発行処理を実行するようにプログラム構成されている。
【００８１】
まず、ＣＰＵ１１は、ＳＴ（ステップ）３１としてラベル発行対象である商品の品番が入力されるのを待機している。
【００８２】
そして、ＳＴ３２として当該品番の品名［さんま］を対象としてラベル印字発行する場合、キーボード１８のテンキーにより品番［０００１］を置数する。続いて、品番キー１８ｂが操作され、品番［０００１］が入力されると（ＳＴ１１−ＹＥＳ）、その品番に対応する商品のラベル印字情報をＰＬＵファイル４１から当該品番［０００１］に対応した品名［さんま］、単価［１５０］等の各種データを呼出す（ラベル印字情報呼出手段）。そして、このラベル印字情報をタッチパネル１６の画面上に表示させる。
【００８３】
ＣＰＵ１１は、ＳＴ３３として時計部１５に計時されている現在時刻[１０：３０]の時刻データを呼出させる（現在時刻呼出手段）。
【００８４】
ＣＰＵ１１は、ＳＴ３４として呼出した前記現在時刻をＰＬＵファイル１４のラベル印字呼出情報履歴管理手段４３に呼出時刻[１０：３０]として格納させる（ラベル印字情報呼出履歴格納手段）。
【００８５】
ＳＴ３５として管理番号カウンタ４４のカウント値Ａを“１”だけカウントアップの処理を行う。このラベル発行処理は、本日が初めてのラベル印字発行なので、管理番号カウンタ３３のカウント値Ａは“１”になる。そして、ラベル印字情報呼出履歴管理手段４３の呼出履歴の管理番号Ｎは“１”がセットされる。
【００８６】
ＳＴ３６として当該商品のラベル印字情報のラベル印字データが作成されＲＡＭ１３の印字データバッファに一時的に格納させる。
【００８７】
ＳＴ３７では、たとえば、品名［さんま］のラベル発行枚数をテンキーで［２０］枚数を入力する。続いて、枚数キー１８ｈを操作すると、ラベル発行枚数が［２０］枚数と設定される。次に、発行キー１８ｄが操作されると、ＣＰＵ１１は、プリンタコントローラ２１を制御しプリンタ２０を駆動して印字データバッファに格納されているラベル印字データに基づいてラベル印字発行を行うようになっている。
【００８８】
ＳＴ３８として当該品番の品名［さんま］のラベル印字発行が終了すると、ＲＡＭ１３のラベル印字データが格納された印字データバッファをクリアする。
【００８９】
そして、今回の当該品番の品名[さんま]に対するラベル印字発行業務を終了する。
【００９０】
次に、この実施例２では、実施例１と同様に品名［白菜］のラベル印字情報をＰＬＵファイル４１から呼出す（ラベル印字情報呼出手段）。そして、ラベル印字情報をＰＬＵファイル４１から呼出す呼出時刻［１３：００］をラベル印字情報呼出履歴管理手段４３に格納するとともに、呼出履歴の管理番号Ｎは“２”がセットされる。
【００９１】
また、この実施例２では、実施例１と同様に品名［とうふ］のラベル印字情報をＰＬＵファイル４１から呼出す（ラベル印字情報呼出手段）。そして、ラベル印字情報をＰＬＵファイル４１から呼出す呼出時刻［１６：３０］をラベル印字情報呼出履歴管理手段４３に格納するとともに、呼出履歴の管理番号Ｎは“３”がセットされる。
【００９２】
一方、ＳＴ３１として商品の品番入力が行なわれなかった場合に（ＳＴ３１−ＮＯ）、すなわち、既に発行した商品、たとえば、品名［白菜］のラベルの枚数が［５］枚数が足りないことがわかると、ＳＴ３９として既に発行したラベルを再発行するための履歴キー１８eが操作される。
【００９３】
履歴キー18eが操作されると、ＳＴ４０としてＣＰＵ１１は、図９に示すＰＬＵファイル１４に存在するラベル印字情報呼出管理手段４３から図４に示すように、ラベル呼出情報として呼出時刻を呼出させる。
【００９４】
なお、この実施例２では、図４に示すように、発行時刻を呼出時刻に置換して説明をする。
【００９５】
ＣＰＵ１１は、ＳＴ４１として図４に示すようにタッチパネル１６の画面上にラベル呼出情報として呼出時刻を表示させる。なお、この実施例２においては、タッチパネル１６の画面上にラベルの呼出時刻が３つ表示されているが、１つまたは多数のラベルの呼出時刻が表示される場合があることはもちろんである。
【００９６】
ＣＰＵ１１は、ＳＴ４２としてたとえば、表示された呼出時刻から再発行する当該商品［白菜］の呼出時刻［１３：００］を指定してタッチ入力する（ラベル印字発行指定手段）。すると、ＣＰＵ１１は、ＳＴ３１で品番［００２０］を入力しなくともＳＴ１２のラベル印字情報を呼出すようになっている。
【００９７】
そして、ＳＴ１２〜ＳＴ１８の処理の中においてＳＴ３７で、品名［白菜］のラベル発行枚数をテンキーで［５］枚数を入力する。続いて、枚数キー１８ｈを操作すると、ラベル発行枚数が［５］枚数と設定される。次に、発行キー１８ｄが操作されるとＣＰＵ１１は、プリンタコントローラ２１を制御しプリンタ２０を駆動して印字データバッファに格納されているラベル印字データに基づいてラベル印字発行が行われる。
【００９８】
前記ラベル再発行が実施されると、当該商品［白菜］の呼出時刻を現在の呼出時刻として［１８：００］に管理番号Ｎは４に書き換えられるようになっている。
【００９９】
すなわち、ＳＴ３７の処理を行うことにより容易に品名［白菜］のラベル５枚のラベル印字発行を行うことが可能になる。これにより、オペレータのラベル再発行の操作性が向上する。
【０１００】
なお、この発明は前記実施例に限定されるものではなく、実施の段階ではその要旨を逸脱しない範囲で構成要素を変形して具体化できる。
【０１０１】
前記実施例では、ＰＬＵファイル１４およびＰＬＵファイル４１は、ＲＡＭ１３に形成してもよい。
【０１０２】
また、ラベルに発行時刻を印字することで、ラベルを再発行する場合には、ラベルに記録されていることでタッチパネル１６の画面で当該商品の発行時刻を指定しやすくなる。
【０１０３】
また、この実施例１および２においては、秤なしのラベルプリンタで説明したが、秤付のラベルプリンタにおいても適用することが可能である。
【０１０４】
以上説明したように、本発明は前記実施の形態に限定されるものではなく、実施の段階ではその趣旨を逸脱しない範囲で種々に変形することが可能であるのは勿論である。
【符号の説明】
【０１０５】
１１…ＣＰＵ、１２…ＲＯＭ、１３…ＲＡＭ、１４、４１…ＰＬＵファイル、１５…時計部（計時手段）、１６…タッチパネル、１８…キーボード（商品コード入力手段）、１８ｂ…品番キー、１８ｄ…発行キー、１８ｅ…履歴キー、２０…プリンタ（ラベル印字発行手段）、３１、４２…ラベル印字情報記憶手段、３２…ラベル発行情報履歴管理手段、３３、４４…管理番号カウンタ、４３…ラベル印字情報呼出履歴管理手段。
【先行技術文献】
【特許文献】
【０１０６】
【特許文献１】特許第２６３０２５６号公報
【図１】
2011183571.tif 000003
【図２】
2011183571.tif 000004
【図３】
2011183571.tif 000005
【図４】
2011183571.tif 000006
【図５】
2011183571.tif 000007
【図６】
2011183571.tif 000008
【図７】
2011183571.tif 000009
【図８】
2011183571.tif 000010
【図９】
2011183571.tif 000011
【図１０】
2011183571.tif 000012